Podtech/llm-jp-corpus-v4-ja_patent huggingface dataset:
(57)【要約】【課題】  復水中に油やヘキサンなどの溶媒が混入していても、復水だけを確実に検知することのできるマイクロ波又は静電容量による復水検知装置を提供すること。【解決手段】  復水溜容器１に復水流入管４と復水排出管５を接続する。復水溜容器１内のフレキシブルチューブ８の下端部を、液体流入口６を介してマイクロウェーブ式液体レベル計３と接続する。マイクロウェーブ式液体レベル計３の上端にオーバーフロー管１０を取り付ける。復水排出管５に復水回収手段２を接続する。  油や溶媒が混入していない状態の復水だけを、マイクロウェーブ式液体レベル計で検知することができる。【選択図】図１
2013228172.tif 000002
【特許請求の範囲】
【請求項１】
復水溜容器にマイクロウェーブ式液体レベル計又は静電容量式液体レベル計を連設して、当該液体レベル計によって、復水溜容器内が復水で満たされていることを検知することを特徴とするマイクロ波又は静電容量による復水検知装置。
【発明の詳細な説明】
【技術分野】
【０００１】
本発明は、蒸気使用機器で発生した蒸気の凝縮水としての復水の中に、油やヘキサンなどの溶媒が混入している場合に好適なマイクロ波又は静電容量による復水検知装置に関する。
【背景技術】
【０００２】
復水の中に油や溶媒などの異物が混入しているか否かを検知しなければならないケースに復水回収装置がある。従来の復水回収装置は、蒸気使用機器の復水出口側を蒸気トラップと復水集合タンクと逆止弁を介して復水圧送部材に接続し、この復水圧送部材の高圧操作流体排出口に圧力制御弁を取り付けたもので、熱エネルギー損失を少なくすることができるものである。
【０００３】
この復水回収装置においては、復水中に油や溶媒などの非水溶性の異物が混入していても分離することができず、これらの異物がボイラーへ供給されると、正常な蒸気を発生することができなくなってしまう問題があった。また、これらの異物は、給水タンクやボイラー内で付着して故障の原因となることもあった。
【先行技術文献】
【特許文献】
【０００４】
【特許文献１】特開２００８−１７０１２６号公報
【発明の概要】
【発明が解決しようとする課題】
【０００５】
解決しようとする課題は、復水中に油やヘキサンなどの溶媒が混入していても、復水だけを確実に検知することのできるマイクロ波又は静電容量による復水検知装置を提供すること。
【課題を解決するための手段】
【０００６】
本発明は、復水溜容器にマイクロウェーブ式液体レベル計又は静電容量式液体レベル計を連設して、当該液体レベル計によって、復水溜容器内が復水で満たされていることを検知するものである。
【発明の効果】
【０００７】
本発明のマイクロ波又は静電容量による復水検知装置は、復水溜容器にマイクロウェーブ式又は静電容量式液体レベル計を連設したことによって、復水溜容器内が復水で満たされていることをこの液体レベル計で検知した場合、すなわち、油や溶媒などの異物が混入していない状態の復水だけを確実に検知することができる。
マイクロウェーブ式液体レベル計は、アンテナから発信したマイクロ波パルスが、復水の液面で反射して反射パルスとして再度アンテナに受信されるまでの伝播時間を測定して液位を検出することができるものである。
【図面の簡単な説明】
【０００８】
【図１】本発明のマイクロ波又は静電容量による復水検知装置の実施例を示す構成図。
【発明を実施するための最良の形態】
【０００９】
本発明のマイクロ波又は静電容量による復水検知装置は、復水中に油や溶媒などの異物が混入している場合に適するが、この異物の種類としては、復水よりも密度や誘電率が低い流体に適用することができる。
【実施例１】
【００１０】
図１は本実施例の構成図であって、復水溜容器１と復水回収手段２及び液体レベル計３としてのマイクロウェーブ式液体レベル計３とでマイクロ波又は静電容量による復水検知装置を構成する。
【００１１】
復水溜容器１の上部に復水流入管４を接続する。復水流入管４の右側端部は、図示しない蒸気使用機器等の復水発生箇所と接続する。復水溜容器１の下部に復水排出管５を接続して、復水回収手段２と連通する。復水回収手段２としては、エゼクタと循環ポンプを組み合わせたポンプや、あるいは、高圧の蒸気や圧縮空気で復水を圧送する復水圧送装置などを用いることができる。
【００１２】
マイクロウェーブ式液体レベル計３の液体流入口６には、復水溜容器１の液面７の上下動に応じて上下するフレキシブルチューブ８を接続する。フレキシブルチューブ８の上端には球形のフロート９を取り付けて、液面７の上下動に追随できるように配置する。液面７上の液体が優先的にマイクロウェーブ式液体レベル計３に流入することができるものである。
【００１３】
マイクロウェーブ式液体レベル計３の上端にオーバーフロー管１０を取り付けて、マイクロウェーブ式液体レベル計３の上部に溜まった液体を優先的に外部へ排出することができるようにする。
【００１４】
復水流入管４から復水が復水溜容器１内へ流下して溜まる。この復水中に油や溶媒などの異物が混入していると、これらの異物は復水よりも密度が小さいために液面７近辺に至り、フレキシブルチューブ８を通って優先的にマイクロウェーブ式液体レベル計３へ流入する。さらに復水溜容器１内への復水の流入が続くと、フレキシブルチューブ８を通って今度は復水がマイクロウェーブ式液体レベル計３へ流入する。マイクロウェーブ式液体レベル計３内でも油や溶媒は復水の上面に位置して、オーバーフロー管１０から優先的に外部へ排出される。油や溶媒が排出されて、マイクロウェーブ式液体レベル計３内が復水で満たされた状態を、レベル計３で検知することによって、復水溜容器１内も復水で満たされていると推測できる。
【００１５】
復水溜容器１内が復水で満たされた状態で、復水回収手段２を駆動して、復水排出管５から復水を回収することができる。
【００１６】
このように、油や溶媒が混入していない状態の復水だけを、ボイラーや給水タンクなどの復水回収先へ回収することができる。
【００１７】
なお、マイクロウェーブ式液体レベル計３は、復水の水面では反射して水面を検出することができるが、油やヘキサンなどの液面では反射することなく透過してしまうためにその液面を検出することができないものである。
【産業上の利用可能性】
【００１８】
本発明は、復水中に油やヘキサンなどの溶媒が混入している場合に好適な復水検知装置として利用することができる。
【符号の説明】
【００１９】
１  復水溜容器
２  復水回収手段
３  マイクロウェーブ式液体レベル計
４  復水流入管
５  復水排出管
８  フレキシブルチューブ
９  フロート
１０  オーバーフロー管
【図１】
2013228172.tif 000003
(57)【要約】      （修正有）【課題】雨降りの外出時に、交通事故等から身を守るために、傘を差している時には、かならず、傘先端並びに、取っ手に装着してあるＬＥＤライトが点灯する自動ＬＥＤライト点灯装置傘を提供する。【解決手段】石突１先端、並びに、取っ手２先端に、傘６が上向きの時にＬＥＤライト３が点灯するＬＥＤライト３を設けてある自動ＬＥＤライト点灯傘である。【選択図】図１
2013197088.tif 000002
【特許請求の範囲】
【請求項１】
傘の先端にある石突先端並びに傘軸に取り付けてあるＵ字形の取っ手末端に穴を設け、そこにＬＥＤライトと電源回路を設置、その上に緩衝用のスポンジを載せてネジ蓋で蓋をすることを特徴とする。
【発明の詳細な説明】
【技術分野】
【０００１】本発明は、交通事故等から身を守る為のライトを点灯させる傘に関するものである。
【背景の技術】
【０００２】  従来の傘は安全のために傘布を黄色やオレンジ色にして目立つようにしていた。しかし、反射する光が無いと効果はない。
【発明の開示】
【発明が解決しようとする課題】
【０００３】  そのために、次のような問題があった。
ドライバーや、ライダーから確認しにくい。
本発明は以上の問題を解決しょうとするものである。
【課題を解決するための手段】
【０００４】  傘の先端にある石突先端並びに傘軸に取り付けてあるＵ字形の取っ手末端に穴を設け、そこにＬＥＤライトと電源回路を設置、その上に緩衝用のスポンジを載せてネジ蓋で蓋をする。
【発明の効果】
【０００５】  本発明は、傘を差す時には傘先端の石突、並びに取っ手末端は上を向く、そのため傘を差せば自動的に石突、並びに取っ手に装着してあるＬＥＤライトが点灯するのでドライバーやライダーから確認しやすいので安全である。また傘が破損してもＬＥＤライトは簡単に取り外して他の傘に取り付けられるので経済的である。
【発明を実施するための最良の形態】
【０００６】以下、本発明の実施形態を説明する。
（ア）傘（６）、の先端に取り付けてある石突（１）、先端、並びに傘軸（７）、末端に取り付けてあるＵ字形の取っ手（２）、末端に上向き点灯ＬＥＤライト（３）、緩衝用スポンジ（５）、が入る穴に上向き点灯のＬＥＤライト（３）、緩衝用スポンジ（５）、を入れてネジ蓋（４）、で締めた傘である。
（イ）傘（６）、先端に取り付けてあるＬＥＤライト（３）、の光を透す石突（１）、の先端にＬＥＤライト（３）、緩衝用スポンジ（５）、が入り先端側面にネジ蓋（４）、のネジに合う雌ネジを備えた程良い広さの穴（８）、を設けた石突（１）、である。
（ウ）石突（１）、の先端にある程良い広さの穴（８）、に上向き点灯ＬＥＤライト（３）、を上向きにして入れる。
（エ）石突（１）、の先端にある程良い広さの穴（８）、に円柱形の緩衝用スポンジ（５）を平面がＬＥＤライト（３）、の上に乗るように入れネジ蓋（４）、のネジを締めて蓋をする。
（オ）傘軸（７）、に取り付けてあるＵ字形でＬＥＤライト（３）、の光を透す取っ手（２）、末端に、ＬＥＤライト（３）、緩衝用スポンジ（５）が入り先端側面にネジ蓋（４）、のネジに合う雌ネジを備えた程良い広さの穴（８）、を設けた取っ手（２）、である。
（カ）取っ手（２）、末端にある程良い広さの穴（８）、に上向き点灯ＬＥＤライト（３）、を上向きにしていれる。
（キ）取っ手（２）、末端にある程良い広さの穴（８）、に円柱形の緩衝用スポンジ（５）を平面がＬＥＤライト（３）、の上に乗るように入れネジ蓋（４）、のネジを締めて蓋をする。
（ク）ボタン電池（Ｆ）、二個を直列に繋いだ電流は、スイッチのバック接点（Ｅ）、スイッチ（Ｄ）、制限抵抗（Ｃ）、ＬＥＤ（Ａ）、のアノード（Ｂ）、カソード（Ｇ）、ボタン電池（Ｆ）、のマイナスに流れ、ＬＥＤ（Ａ）は点灯する。
（ケ）傘（６）、が上向きの時はスイッチ（Ｄ）、内部の稼働接点（Ｈ）、は固定接点（Ｉａ）、固定接点（Ｉｂ）、の上に乗り短絡するためスイッチ入りになる。
（コ）傘（６）、が下向きの時はスイッチ（Ｄ）、内部の固定接点（Ｉａ）、固定接点（Ｉｂ）、は稼働接点（Ｈ）の上になりスイッチ（Ｄ）、内部の空間により固定接点（Ｉａ）、固定接点（Ｉｂ）、は稼働接点（Ｈ）、から離れるため電気回路は遮断される。
【図面の簡単な説明】
【図１】  本発明の外観斜視図
【図２】  本発明の一部である石突内部の構造を示す立体分解図
【図３】  本発明の一部である取っ手末端の内部構造を示す立体分解図
【図４】  本発明の一部であるＬＥＤライトの配線図
【図５】  本発明の一部であるＬＥＤライトがオンの状態を示す配線図
【図６】  本発明の一部であるＬＥＤライトがオフの状態を示す配線図
【符号の説明】
【０００８】    １  石突
２  取っ手
３  ＬＥＤライト
４  ネジ蓋
５  緩衝用スポンジ
６  傘
７  傘軸
８  程良い広さの穴
Ａ  ＬＥＤ
Ｂ  アノード
Ｃ  制限抵抗
Ｄ  スイッチ
Ｅ  スイッチのバック接点
Ｆ  ボタン電池
Ｇ  カソード
Ｈ  稼働接点
Ｉａ  固定接点
Ｉｂ  固定接点
【図１】
2013197088.tif 000003
【図２】
2013197088.tif 000004
【図３】
2013197088.tif 000005
【図４】
2013197088.tif 000006
【図５】
2013197088.tif 000007
【図６】
2013197088.tif 000008
(57)【要約】【課題】従来から運転されてきた揚水発電は水のポンプアップと言う無駄なエネルギーを必要とするために効率は７０％を超えるのは無理と言われてきた。燃料電池に寄る発電は技術革新が飛躍的に進みこれ以上の効率化は難しいと言われている。【解決手段】本発明は通常の水力発電設備に下部の発電機の近くに電気分解装置或いは炭化水素改質などの水素発生装置を設置し、上部調整池近くには燃料電池を設置しそれぞれをパイプで連結された構造より成る事を特徴とする。即ち本発明のシステムでは、低地にて水素を発生−−−高地にて燃料電池発電−−−生成水を調整池に放流−−−通常の水力発電−−−と言う流れである。このシステムは揚水発電の変形と見る事も出来るし、燃料電池発電の変形ということも出来る。揚水発電として見れば水のポップアップのためのエネルギーが不要となり、落差を可能な限り大きく取れる利点と相まって大幅な効率アップとなる。また燃料電池発電として見れば生成水を発電用水力として利用するのでその分がそのままプラスと成る。上述のごとく本発明は揚水発電と燃料電池発電のそれぞれの特徴を生かし効率の飛躍的な向上を図る優れたシステムである。【特許請求の範囲】
【請求項１】
低所に水の電気分解或いは炭化水素等の水素発生装置と通常の水力発電用発電機と調整池を設け高所に調整池或いはサージタンクと燃料電池発電機が設けられる。
調整池と水力発電用発電機とは導水管で結ばれる通常の水力発電設備である。
水素発生装置と燃料電池発電機は水素誘導管で結ばれ、生成水は調整池に供給される。
上記構造により、水素発生−−−燃料電池に寄る発電−−−生成水に寄る水力発電−−−と言う流れを特徴とする新規な発電システム。
【発明の詳細な説明】
【技術分野】
【０００１】［本発明は燃料電池と揚水発電的要素とを組み合わせた新規な発電システムに関する］
【背景技術】
【０００２】近年燃料電池発電がその効率の良さから脚光を浴びている。
燃料電池は周知のごとく水素と酸素の化学反応を電気エネルギーとして取り出して利用するもので、生成するものが水だけと言うのもクリーンと言うイメージで注目される一つの要因となっている。
水素が燃料であるが水素源は水の電気分解、炭化水素の改質等によって得られ、廃熱の回収を含めれば効率は８０％に達すると言われている。
従ってこれ以上の効率アップは難しいと言われている。
揚水発電は揚水のための電力を必要とするため発電効率は決して高いものではないが負荷の変動に対する蓄電器としての役割を担って運転されてきた。
周知の如く揚水発電は導水管を使って揚水し揚水した水で通常の水力発電を行うもので、発電機を揚水ポンプとして使用するタイプが殆どである。
従って長時間の運転は不可能であり余剰電力が見込める夜間に揚水し日中のピーク時に発電するのが一般的である。
【発明の概要】
【発明が解決しようとする課題】
【０００３】従来の揚水式発電の問題点の一つは高所に水を汲み上げると言う莫大ななエネルギーを必要とすることにあり、落差を大きく取るにはそれに比例して必要なエネルギーが大きくなる言う事である。【０００４】また燃料電池に寄る発電は技術革新によりその効率は理論値に近づいておりこれ以上の効率アップは難しいと言われている。
【課題を解決するための手段】
【０００５】本発明は燃料電池発電と揚水発電との組み合わせる事により両方のの弱点を克服し、効率の高い新規な発電システムを提案するものである。
本発明は通常の水力発電の発電機の近くに水素発生装置を設置し、水力発電の取り水口である上部調整池近くに燃料電池発電機を設置する事を特徴とする。
水素発生装置と燃料電池発電機の間は水素誘導管によって結ばれ生成水は調整池に供給される。【０００６】上述した様に本発明は低所に水素発生装置を設置し高所に設置された燃料電池発電機によって発電され、生成した水を使って通常の水力発電を行うものである。
即ち、水素発生−−−燃料電池による発電−−−生成水に寄る水力発電−−−が本発明の流れである。
従って本発明のシステムは、揚水発電の変形と見る事も出来るし、燃料電池発電の変形と見る事も出来る。
【発明の効果】
【０００７】本発明のシステムにを揚水発電のとして見れば揚水発電の水が水素に変わるためポンプアップに必要なエネルギーが不要となり、その為に随意に大きな落差を得る事が出来る利点と相まって大幅な効率アップが期待できる。
また調整池に常に水が供給されるため長時間の運転も可能となる。【０００８】本発明のシステムを燃料電池発電の変形と見た場合は高地に設置された燃料電池発電機に寄る発電によって得られた生成水は通常の水力発電に使用されるためその分プラスとなり全体の発電の効率を飛躍的に高める。【０００９】通常の揚水発電と違って水が常に供給されるため上部に広大な調整池を必要としないので立地条件は非常に緩やかになり、大きな落差を得る事も容易になる。
従って従来は不可能と思われた場所にも設置可能となり、海水揚水発電など候補地は多数あると考えられる。【００１０】上述した如く本発明は実用上非常に有用な発明である。
技術の進歩によって各工程の効率が上がり水素の上昇力をもっと有効に使う技術などが加えられれば全効率が１００％に近づくかも知れない優れた発明である。
また水の電気分解の効率が飛躍的に向上するか、吸熱反応の冷却力が有効利用されるなどの技術が生まれてくればさらなる有用性が期待される。
(57)【要約】【課題】ＬＥＤ／ＣＣＦＬ蛍光管は、蛍光管構造上の理由から、従来の照明器具、反射システムでは照度向上が難しく、従来の蛍光管と比較して半分程度の照度しか得ることが出来ない。【解決手段】ＬＥＤ／ＣＣＦＬ蛍光管の構造と、光の定理「照度は光源からの距離の二乗に反比例する」に合致した反射システム。【選択図】図１
2013197087.tif 000002
【特許請求の範囲】
【請求項１】
反射材を光源から最も近い位置に非接触で配置し、光を出来る限り直角に集光し反射させるシステム。
【発明の詳細な説明】
【技術分野】
【０００１】  この発明は、ＬＥＤ／ＣＣＦＬ蛍光管用反射システムに関する。
【背景技術】
【０００２】  ＬＥＤ／ＣＣＦＬ蛍光管は本来ルーメン数が従来の白熱電球や、蛍光管に比べて数値が低く、結果として照度が不足し、暗い照明といわれています。この照度不足を反射材や照明器具のデザインで解消し、ＬＥＤ／ＣＣＦＬの照度向上に役立てるものです。
【先行技術文献】
【特許文献】
【０００３】
【非特許文献】
【０００４】
【発明の概要】
【発明が解決しようとする課題】
【０００５】しかしながら、ＬＥＤ／ＣＣＦＬ蛍光管は、蛍光管構造上の理由から、従来のアルミ材やＰＥＴ材あるいは鉄製の反射笠のシステムでは照度を向上させることはほとんど不可能でした。
そこで、この発明は、この課題を解決し、消費電力の少ないＬＥＤ／ＣＣＦＬ蛍光管が従来の白熱電球や蛍光管と同程度の照度を実現することで、省エネルギー社会の実現に寄与する事を課題とする。
【問題を解決するための手段】
【０００６】  以上の課題を解決するために、ＬＥＤ／ＣＣＦＬ蛍光管用照明器具に反射材をそれぞれの蛍光管に合わせてデザインし、器具と一体となったシステムとした。
【発明の効果】
【０００７】  発明により、ＬＥＤ／ＣＣＦＬ蛍光管の照度が５０〜１００％向上し、白熱電球や蛍光管と同程度の照度を得ることが出来る。
【図面の簡単な説明】
【０００８】
【図１】この発明の一実施形態を示す図面（平面・断面）である。
【図２】従来のＬＥＤ／ＣＣＦＬ蛍光管（従来の蛍光管）用照明器具（システム）である。
【発明を実施するための形態】
【０００９】  この発明の一実施形態を、図１に示す。
ＬＥＤ／ＣＣＦＬ蛍光管の構造と、その光の直進性・分散性に合致する反射材とデザインとした。重要な点は、明るさと距離との定理「照度は光源からの距離の二乗に反比例する」を開発の中心にした点であり、ＬＥＤ／ＣＣＦＬ蛍光管本来のルーメンを可能な限り損失させないシステムである。図１はこの点を考慮したものである。
【実施形態の効果】
この実施形態によれば、ＬＥＤ／ＣＣＦＬ蛍光管からの光を、可能な限りの短い距離で反射材に集光し器具全体の反射システムで照射面に到達する光の総量を増加させ、照度が１．５〜２．５倍となる。
【図１】
2013197087.tif 000003
【図２】
2013197087.tif 000004
(57)【要約】【課題】  頭皮の薄毛抜け毛に悩む人が年齢を問わず急増しているので、その脱毛を抑える毛髪活性剤づくり。【解決手段】  今までの研究実験で満足に価するものができなかったが，この発見したヒトホルモンの一滴の加入によって▲１▼▲２▼▲３▼の改善と解明【選択図】図２
2013006816.tif 000002
【特許請求の範囲】
【請求項１】
成熟した女性の子宮から周期的に出血する生理的現象（月経）。その血液の中からヒトホルモンを抽出、そのホルモンを中枢につくり出す毛髪活性剤。
【請求項２】
植物発芽目。花弁果物の各エキス。コラーゲン。タウリン。毛髪剤に組合わせる素材。
【請求項３】
胎児を娩出したあとに胎盤。卵膜。臍帯。などが体外に排出された（後産）。この後産から抽出するヒトホルモン。
【請求項４】
４つの血液型。Ｏ型用。Ａ型用。Ｂ型用。ＡＢ型用。に区分けづくり
【発明の詳細な説明】
【技術分野】
【０００１】この発明はヒトホルモンを中枢に植物ホルモン、コラーゲン、タウリン、花弁果物エキスを混合構成の毛髪活性剤。
【背景の技術】
【０００２】現在医薬品  医薬部外品とした養毛剤が市販されている、この中にも効果が大きいものもある。
【０００３】頭髪の薄毛抜け毛に悩む人が年齢を問わず急増している、要因は。
▲１▼頭皮の血行が悪いせいで酸素や栄養が不足する。
▲２▼男性ホルモンの作用で発毛を抑える物質ができる。
▲３▼毛髪の根元にある毛母細胞を再生する幹細胞の働きが鈍る。
このような原因で脱毛して行く。
そこまでの解明が出来ているのだが、それをいかにして抑える解明が道半ばであろう。
【発明の開示】
【発明が解決しようとする課題】
【０００４】出願者はそれを解明するため今までに研究実験をかさねた以外に、もっとも必要不可欠のものを発見した。それがヒトホルモンであった。そしてこのヒトホルモンを中枢にしにして脱毛を抑える研究をすすめた。
【課題を解決するための手段】
【０００５】このホルモンは、［実施例］［０００９］（Ａ）に詳しく記載の混合構成によって脱毛を抑えられることを発見した。
【発毛の効果】
【０００６】本発見は［実施例］（Ａ）（Ｂ）（Ｃ）の混合構成によって脱毛を抑え毛根、毛穴、髪の毛の活性に至った。
【図面の簡単な説明】
【０００７】
【図１】  正常な毛髪の拡大平面図。
【図２】  脱毛症にかかってやせ細った毛髪の拡大平面図。
【図３】  毛髪の拡大断面図
【発明を実施するための形態】
【０００８】本題の毛髪活性剤として発芽目植物ホルモンに花弁果物エキス、魚介類エキス、タウリン、コラーゲンなどで長い間実験を重ねた。そこそこの効果を見るが、満足に価するものではなかった。
出題者は熟考に熟考を重ねた末にやっとヒトホルモンにたどりついた。
そこからヒトホルモンを中枢にした研究に入った。
【実施例】
【０００９】（Ａ）成熟した女性の子宮から周期的に出血する生理的現象（月経）。その血液の中から女性ホルモンを抽出した。
今までの素材。ラン花弁エキス。リンゴ汁エキス。コラーゲン。タウリン。植物発芽目エキス。魚介類からのエキス。
上記したもので長年研究実験を重ねたが、満足に価するものではなかった。
そこで［背景の技術］［０００３］▲１▼▲２▼▲３▼を解明するには今までの実験素材だけでは、解明不可能とさとり。それから参考文献や大辞林等をひもとき、試行錯誤をくりかえした末にようやくヒトホルモンを見い出した。それから今までの素材にこのヒトホルモンを組合わせた実験を進めた。
このヒトホルモンの一滴の組合わせによって頭皮の血行悪や酸素や栄養の不足が改善されもっとも重要とする男性ホルモン作用で発毛を抑える物質も改善され脱毛を抑えられた、抜け落ちた毛穴からも細いながらも毛髪が活性した。
【実施例】
【００１０】（Ｂ）胎児の娩出したあと胎盤。卵膜。臍帯。などが体外に排出される後産。
母体に胎児が宿ると母体のへその周りを覆う毛が発生する、その発生する現象は胎盤ホルモンを分泌して胎児を維持する重要な役割であることからこの後産の中のホルモンに発毛成分があることを思いついた。
そこで後産の中からホルモンを抽出して（Ａ）に加えた。結果［背景の技術］［０００２］の▲３▼の毛髪の根元にある毛細胞を再生する幹細胞の働きが鈍るのを抑えられて、より一層力強い頭髪の活性を生んだ。
【実施例】
【００１１】じゃがいも発芽目エキス。植物発芽ホルモン発毛の助けだち
ラン花弁。りんご汁エキス。毛根毛穴の栄養素。
コラーゲン。頭皮をやわらげ血行を良くし酸素や栄養の補足素材。
タウリン。毛髪や動物の角などの栄養に必要不可欠であり頭髪の活性を助けるもの。
【実施例】
【００１２】この毛髪活性剤を血液型Ｏ型用。Ａ型用。Ｂ型用。ＡＢ型用。の４品に仕分ける。
素材ヒトホルモンなので仕分け易く使用する側にもっともなじみ易いものと考えて試みた。
本願の毛髪活性剤は医薬部品の範囲外に属するものであることを明記する。
【図１】
2013006816.tif 000003
【図２】
2013006816.tif 000004
【図３】
2013006816.tif 000005
(57)【要約】【課題】夏場に半袖で、パソコンのキーボードまたはマウス作業や、ペン等を使った事務作業を行うと、机と密着している手首から肘にかけての腕の部分が汗ばみ不快になった。解消するためにハンカチやタオルなどを敷いていた。しかしながら、汗によるべた付き感は減少するものの、手を動かすたびに汗でハンカチやタオルが腕に付いてきて邪魔になっていた。  本発明はパソコン作業や事務作業を快適に出来るような腕置きを提供する。【解決手段】袋状の構造で内側はクッション材で構成し、その外側は表生地と裏生地からなり、中に冷えた保冷剤を入れ留め具を閉じ使用する腕置きを提供する。【選択図】図１
2013006003.tif 000002
【特許請求の範囲】
【請求項１】
袋状の構造で内側はクッション材で構成され、その外側は表生地と裏生地からなり、中に冷えた保冷剤を入れ留め具を閉じ使用する腕置きである。
【発明の詳細な説明】
【技術分野】
【０００１】  本発明は、パソコンのキーボードまたはマウス作業や、ペン等を使った事務作業で手首から肘にかけての腕に使用する腕置きに関するものある。
【背景技術】
【０００２】  夏場に半袖で、パソコンのキーボードまたはマウス作業や、ペン等を使った事務作業を行うと、机と密着している手首から肘にかけての腕の部分が汗ばみ不快になった。解消するにはハンカチやタオルなどを敷いていた。
【発明の概要】
【発明が解決しようとする課題】
【０００３】  しかしながら、この方法だと汗によるべた付き感は減少するものの、手を動かすたびに汗でハンカチやタオルが腕に付いてきて邪魔になっていた。
本発明は以上のような欠点を解決するためになされたものである。
【課題を解決するための手段】
【０００４】  本発明は袋状の構造で内側はクッション材で構成され、その外側は表生地と裏生地からなり、中に冷やした保冷剤を入れ留め具を閉じ使用する腕置きである。
【発明の効果】
【０００５】  保冷剤の冷却効果で腕置きに触れている腕の部分は汗をかかなくなり、べた付き感は無くなり腕置きが腕に付く事も無く快適に作業が出来るようになった。また暑い夏には適度に腕を冷やしてくれるので作業効率が上がった。
【図面の簡単な説明】
【０００６】
【図１】本発明の断面図
【図２】本発明の斜視図
【発明を実施するための形態】
【０００７】  以下、本発明の実施形態を説明する。
本発明は袋状の構造で内側はウレタンスポンジ等のクッション材（２）で構成され、その外側の腕に触れる表側は肌触りの良い綿や吸汗速乾性能を持つ素材等の表生地（３）と机に触れる裏側は滑りにくい素材の裏生地（４）を有し、ファスナー等の留め具（５）で開閉できる構造であり、使用時は冷えた保冷剤（１）を中にいれ留め具（５）を閉じて腕の下に敷き腕置きとして使用する。
【０００８】  本発明の応用として表生地（３）と裏生地（４）と変えているが両面とも表生地（３）としデザインなどを変え両面を使用することも考えられる。
【０００９】  また留め具（５）等を設けず保冷材（１）を内蔵した物も考えられる。
【符号の説明】
【００１０】  １保冷剤
２クッション材
３表生地
４裏生地
５留め具
【図１】
2013006003.tif 000003
【図２】
2013006003.tif 000004
(57)【要約】【課題】ゴルフパターでカップイン確率を向上させるには、ボールに回転を与えるロフト角度、方向性に必要なフェース角度、パター底部が地面と平行になる体型に合ったライ角度などが必要な要素である。【解決手段】本発明はシャフト先端部分に球体を介して、それぞれ任意の角度に調整後一時的にネジ等で圧着固定する。又、ネジ等を緩めれば何度でも自由に角度設定できる角度調整装置である。本装置をパターヘッド本体に内蔵するスペースが取れない場合には外部に装着することもできる。【選択図】図１
2013006006.tif 000002
【特許請求の範囲】
【請求項１】
シャフトとパターヘッド取付け部の中間に球体を介する。
その球体の特性を利用してその中心にシャフトを可変させながら任意のロフト角度、フェース角度、ライ角度を設定して球体を一時的に圧着固定させる。
球体を一時的に緩めることで何度でも任意の角度に設定ができるパター専用角度調整装置である。
【請求項２】
上記装置についてパターヘッド本体に内蔵はもとよりパターデザインによって内蔵スペースが確保できない場合においては、この装置全部を外部に取付けるための装置一体型である
【請求項３】
２箇所に貫通穴を設けた長方形部品の貫通穴にパターシャフト先端部を取り付け一時的にネジ等で圧着固定する。もう一方の貫通穴にはパター本体を一時的にネジ等で圧着固定することで、任意のロフト角度、ライ角度が設定できる。
【発明の詳細な説明】
【技術分野】
【０００１】      パターロフト角度、フェース角度、ライ角度がシャフト先端部分に設けた球体を一時的にネジ等で締めて圧着固定することで同時にこれらの角度が設定できる。
又、圧着固定のネジなどを緩めて開放することで、簡単にしかも何度でも異なった設定ができる装置である。
【背景技術】
【０００２】      従来のパターはシャフトとヘッドが接着され一体化しているので、ロフト角度、ライ角度の調整を行う場合、工房などで専用治具を用いて行うのが一般的である。
又、方法としてシャフトなどを曲げるので調整範囲は限られ、フェース角度調整後はグリップ交換が必要になる場合がある。
【発明の効果】
【０００３】      本発明はボールに回転を与えるロフト角度、方向性に関係するフェース角度、パターをセットアップするときパターの底部が地面に対し平行にするライ角度が各々体型が異なるプレーヤーに対し簡単に調整し合致すれば理想的な直進性及び順回転が提供できカップインの確率も向上する。
特長としてゴルフ場のグリーン状態たとえば遅い、早いに対しネジ等をゆるめて簡単にロフト角度を調整できる。
【図１】
2013006006.tif 000003
【図２】
2013006006.tif 000004
【図３】
2013006006.tif 000005
【手続補正書】
【提出日】平成23年8月19日(2011.8.19)
【手続補正１】
【補正対象書類名】明細書
【補正対象項目名】全文
【補正方法】変更
【補正の内容】
【発明の詳細な説明】
【技術分野】
【０００１】    パターロフト角度、フェース角度、ライ角度がシャフト先端部分に設けた球体を一時的にネジ等で締めて圧着固定することで同時にこれらの角度が設定できる。
又、圧着固定のネジなどを緩めて開放することで、簡単にしかも何度でも異なった設定ができる装置である。
【背景技術】
【０００２】    従来のパターはシャフトとヘッドが接着され一体化しているので、ロフト角度、ライ角度の調整を行う場合、工房などで専用治具を用いて行うのが一般的である。
又、方法としてシャフトなどを曲げるので調整範囲は限られ、フェース角度調整後はグリップ交換が必要になる場合がある。
【発明の効果】
【０００３】    本発明はボールに回転を与えるロフト角度、方向性に関係するフェース角度、パターをセットアップするときパターの底部が地面に対し平行にするライ角度が各々体型が異なるプレーヤーに対し簡単に調整し合致すれば理想的な直進性及び順回転が提供できカップインの確率も向上する。
特長としてゴルフ場のグリーン状態たとえば遅い、早いに対しネジ等をゆるめて簡単にロフト角度を調整できる。
【図面の簡単な説明】
【０００４】
【図１】  ゴルフパター後方から見た斜視図である。パター本体１にアングル設定装置４の内臓型モデルで、球体５を芯にシャフト３を任意の角度に回転させてプレーヤーに合ったライ角度８、フェース２のロフト角度１２、フェース角度９を確保し球体圧着金具６をネジ７で締めて固定する。
【図２】  ゴルフパター後方から見た斜視図である。パター本体１にアングル設定装置４の外部取付けモデルで、本体１と球体５を固定する金具１０を設けて、球体５を芯にシャフト３を任意の角度に回転させてプレーヤーに合ったライ角度８、フェース２のロフト角度１２、フェース角度９を確保し球体圧着金具６をネジ７で締めて固定する。
【図３】  ゴルフパター後方から見た斜視図である。パター本体１にアングル設定装置４を取付けた。パター本体１に回転可能な金具１１を設けてライ角度８を任意に設定しネジを締め付け固定する。シャフト３の先端に取付けた前後に動く金具７を金具１１に取付ける、フェース２のロフト角度１２が任意の角度にネジを締め付け固定できる。
【符号の説明】
【０００５】１  パター本体                        ９  フェース角度
２  パターのフェース                １０  パター本体と球体を固定する金具
３  シャフト                        １１  回転可能金具
４  アングル設定装置                １２  ロフト角度
５  球体
６  球体圧着金具
７  ネジ
８  ライ角度
【手続補正２】
【補正対象書類名】図面
【補正対象項目名】全図
【補正方法】変更
【補正の内容】
【図１】
2013006006.tif 000006
【図２】
2013006006.tif 000007
【図３】
2013006006.tif 000008
(57)【要約】【課題】現在有機農産物の日本農林規格では作物栽培の全期間にわたって化学的に合成された資材は一切使用できないため、有機栽培米稲用の育苗ではおから堆肥等を配合した培土を使用しているが化学肥料使用の市販培土に比べて養分濃度が一定しない、培土が酸素不足の状態に陥るなどの問題があり、良苗の確保をかなり困難なものにしている。このため有機物を原料とした化学肥料と同等の肥効、速効性を持っ肥料の開発が強く望まれている。【解決手段】本発明は鶏ふんをふん中窒素の主体を占める尿酸の分解温度４００℃以下で焙煎し、ふん中の易分解性物質を難分解性化するとともに窒素、りん酸、加里量各４％程度の化学肥料と同等の速効性を示す含尿酸態窒素複合肥料に変換したものである。なお、培土に易分解性物質が存在すると３０℃前後、多水分条件で行われる育苗では、雑菌、黴の繁殖のほか硫化水素、メタンガスなど有害な還元性物質が生成され健全な苗の生産が阻害される。【選択図】図１
2013006754.tif 000002
【特許請求の範囲】
【請求項１】
鶏ふんを尿酸の分解温度４００℃以下で焙煎した焙煎鶏ふん肥料。
【請求項２】
焙煎鶏ふん肥料を利用した配合肥料。
【請求項３】
焙煎鶏ふん肥料を使用し、育苗時の培地のｐＨを硫黄華で５．０前後に調整した有機栽培米用育苗培土。
【発明の詳細な説明】
【技術分野】
【０００１】  本発明は「有機農産物の日本農林規格」ＪＡＳの基準に適合する速効性窒素を含む有機質肥料に関する。
【背景技術】
【０００２】  有機農産物の日本農林規格では化学的に合成された肥料の使用がすべて禁止されている。このため有機栽培米用苗の育苗についても化学肥料が使用できず、やむなくおからなどを原料にしたボカシ堆肥で対応しているが、かび、雑菌が繁殖しやすく、養分（窒素）濃度が低いうえに一定しないこともあり安定した育苗ができず、これが有機栽培米生産上の大きな障害になっている。育苗は１５〜２０日間程度の短期間であり、このため化学肥料と同等の速効性を持つ有機物由来で高濃度の窒素を含む肥料の開発が強く望まれている。
【先行技術文献】
【特許文献】
【０００３】
【特許文献１】  特開２０００−２３９０８２
【特許文献２】  特開２００２−３０３４０９
【非特許文献】
【０００４】
【非特許文献１】  畜産環境情報第２４号２００４年３月
【発明の概要】
【発明が解決しようとする課題】
【０００５】  類似の発明として特許文献１、動物ふんを部分的に炭化して「炭化肥料の製造方法およぴその装置」と特許文献２、「鶏糞の熱分解方式」の２者があるが前者は処理温度が４００〜８００℃と高く、後者は空気の供給が制限された雰囲気で３００℃から８００℃で加熱分解するとあり、ふん中尿酸量の保全については配慮がなされていない。
また非特許文献１は鶏ふんペレット堆肥の品質安定化は尿酸態窒素のコントロールにあるとし、密閉形式で堆肥化し、水分含量を１５％以下に乾燥するとあるが、温度条件は記載されていない。
したがって本発明は、以上のような従来技術の欠点に鑑み、処理温度が４００℃以下で空気の供給を全く制限せず、ふん中尿酸が完全に保全される「焙煎鶏ふん肥料」を提供する事を目的としている。
【課題を解決するための手段】
【０００６】  上記目的を達成するために、本発明は［請求項１］〜［請求項３］で「焙煎鶏ふん肥料」、「配合肥料」及び「有機栽培米用培土」の作成、を構成し  ている。
【発明の効果】
【０００７】  以上の説明から明らかのように、本発明には次に列挙する効果が得られる。
（１）鶏ふんを鶏ふん中窒素の主体を占める尿酸の分解温度４００℃以下の条件で焙煎し化学肥料と同等の速効性、効果を示す窒素、りん酸加里の含有量各４％程度の有機物由来肥料に変換するものである。
この肥料に含まれる尿酸は土壌中で微生物により速やかに分解されアンモニアに変化して作物に吸収利用される。
（２）化学肥料の使用が禁止されている「有機農産物の農林規格」ＪＡＳにかかわる有機農産物栽培のすべてに速効性窒素肥料として使用できる。
（３）不安定であった有機栽培米用の苗の生産を容易化、安定化することにより有機栽培米の栽培面積の大幅な拡大が可能となる。このほかＪＡＳ指定有機農作物の栽培全般にわたって化学肥料に代わる速効性窒素肥料としての利用が見込まれる。
【図面の簡単な説明】
【０００８】
【図１】原材料の混合は例えば赤玉土、泥炭、硫黄華及び焙煎鶏ふんをミキサーを使って行う。造粒は造粒機で、乾燥殺菌は回転キルンで行い、粒状の有機栽培米用培土が得られる。
【発明を実施するための形態】
【０００９】  以下、本発明の実施の形態を図１によって説明する。
【実施例】
【００１０】  焙煎鶏ふんは鶏ふんを尿酸の分解温度４００℃以下の条件で焙煎し得られる。【００１１】  図１のごとく原材料として焙煎鶏ふんと赤玉土、泥炭及び硫黄華をミキサーを使って混合する。【００１２】  次いで造粒機で造粒し、更に回転キルンで乾燥殺菌して粒状の有機栽培米用培土が得られる。
【産業上の利用可能性】
【００１３】  有機栽培米はじめ有機農産物に対する一般消費者の関心の高まりから、本発明にかかわる焙煎鶏ふん肥料の需要は今後一層増大するものと考えられる。また賠煎処理により、吸湿性、鶏ふん特有の臭気も完全に消去されており、他肥料との配合利用なども可能となる。
【図１】
2013006754.tif 000003
(57)【要約】【課題】鉄道用電力変換装置搭載の整流装置によるバッテリ充電動作において、整流装置出力電圧とバッテリ間の電圧差が大きい場合、充電電流が過大となり、バッテリのメンテナンス周期が短くなり、バッテリ寿命が短くなる。【解決手段】整流装置出力電流と出力電圧から整流装置出力電圧を演算する方法に加えて、充電電流を検出する検出器を設置して充電電流から整流装置出力電圧を演算し、整流装置出力電圧とバッテリ電圧の差を小さくすることで、バッテリ充電電流を一定の電流以下に制御する。負荷変動等による外部環境の変化に左右されず、バッテリを一定の電流以下で充電することができ、バッテリの寿命に影響を与えない。【選択図】図１
2013031251.tif 000002
【特許請求の範囲】
【請求項１】
電圧検出器と電流検出器と出力電圧を演算する演算器とバッテリ等を具備し、直流を出力する装置において、該バッテリの充電電流検出手段を具備し、該充電電流検出手段を該演算器に接続し、出力電流を制限するように出力電圧指令値を演算し、充電電流を一定以下の値に制御することを特徴とする整流制御装置。
【発明の詳細な説明】
【技術分野】
【０００１】
本発明は、鉄道用電力変換装置に搭載される整流装置の制御方法等に関するもので、特に、バッテリの充電電流を制御するものである。
【背景技術】
【０００２】
鉄道車両にはバッテリが搭載されており、バッテリの充電のために整流装置を設けてバッテリの充電を行なっている。
整流装置の回路方式として、ダイオードブリッジ、サイリスタブリッジ、混合ブリッジなどの回路を使用した方法が採用されている。
整流装置の出力電圧はバッテリを含めた負荷全体へ供給する電流値で決定される。
【先行技術文献】
【特許文献】
【０００３】
【特許文献１】特開平８−２７５５３２号公報
【発明の概要】
【発明が解決しようとする課題】
【０００４】
背景技術においては、以下に示す問題点がある。
鉄道用電力変換装置搭載の整流装置は、バッテリの充電量と無関係に全体の負荷量で出力電圧を決定している。
そのため、バッテリの充電が不充分な場合、出力電圧とバッテリ電圧間の差が大きくなり、充電電流が過大になる場合がある。
充電電流が過大になると、バッテリ寿命が短くなり、バッテリのメンテナンス周期が短くなる。
本発明は、以上の問題点を解決するためになされたものである。
【課題を解決するための手段】
【０００５】
前述の問題点を解決するために、請求項１の発明によれば、電圧検出器と電流検出器と出力電圧を演算する演算器やバッテリを具備し、直流を出力する装置において、該バッテリの充電電流検出手段を具備し、該充電電流検出手段を該演算器に接続し、出力電流を制限するように出力電圧指令値を演算し、充電電流を一定以下の値に制御することを特徴とする。
【０００６】
すなわち、充電電流を検出する検出器と充電電流から出力電圧を演算する演算器を追加し、充電電流から出力電圧を演算する。
【発明の効果】
【０００７】
負荷変動等による外部環境の変化に左右されず、バッテリを一定の電流以下で充電することができ、バッテリの寿命に影響を与えない。
【図面の簡単な説明】
【０００８】
【図１】本発明の実施例を示す回路図である。
【図２】従来例を示す回路図である。
【発明を実施するための形態】
【０００９】
充電電流検出器８の出力を演算装置９に加える充電電流演算手段を新たに追加することにより、バッテリ４に充電される電流を演算することが可能となり、最終的にバッテリ４への充電電流を制御することができる。
【実施例１】
【００１０】
バッテリ４を含めた負荷全体の電流による出力電圧の演算に、バッテリ充電電流による出力電圧の演算方法を追加する。
バッテリ４への充電電流を検出し、既定の充電電流値を超えた場合に出力電圧を下げ、整流装置出力電圧とバッテリ電圧の差を小さくすることによりバッテリ４への充電電流を一定以下に抑制する。
【産業上の利用可能性】
【００１１】
バッテリへの充電電流を制限することにより、バッテリの寿命に影響を与えることがなくなり、交換周期が長くなることになり、メンテナンスに置いて非常に有用である。
【符号の説明】
【００１２】
１    ３相正弦波交流入力
２    整流回路
３    直流フィルタ回路
４    バッテリ
５    バッテリ以外の負荷
６    整流装置・出力電圧検出器
７    整流装置・出力電流検出器
８    充電電流検出器
９    演算装置
【図１】
2013031251.tif 000003
【図２】
2013031251.tif 000004
(57)【要約】      （修正有）【課題】公道と自宅との境界の境目、石畳、タイル張りの目地、石垣等、硬いものの隙間の奥深くに根を張った草を根こそぎ引き抜くことが出来る引き抜き具を提供する。【解決手段】草抜き具は歯体２を細長くし、二股歯体の対向面には平ギザ歯３を設け、歯先端１は鋭くして、さらに歯体２を凡そ３０度程曲げる。又、取っ手把持部５を手の平の幅よりも長くするとともに、取っ手グリップ７を設けて、歯先端１を押し込む力を加えやすくした。【選択図】図１
2013031411.tif 000002
【特許請求の範囲】
【請求項１】
支軸を介して、手前に取っ手、先方に歯体が配置されたハサミ状の草取り具において，支軸に続く短い歯床を経て、すぐ曲げ部に至り、曲げ部の折り曲げ角度は凡そ３０度程であり、取っ手及び歯体の二股を横に平行になるように置いた時に、曲げ部から先の歯体全体が下方（又は上方）に折り曲げてあり、二股の歯体の対向面は全体が平ギザ歯に形成され、歯先端は鋭く尖っており、支軸から手前の取っ手は取っ手把持部を手の平の幅よりも長くしてあり、取っ手の手前端は左右から対向的に折り曲げて、歯先を地面に突き刺す際に押す力を加えやすいように取っ手グリップを設けてあることを特徴とする隙間の草、根こそぎ引き抜き具。
【発明の詳細な説明】
【技術分野】
【０００１】  本発明は手を汚さず、硬いものの隙間に生える草を根こそぎ引き抜く具である。
【背景技術】
【０００２】  公道と自宅との境界の境目、コンクリートの割れ目、石畳、タイル張りの目地、石垣等、硬いものの隙間の奥深くに根を張った草を根こそぎ引き抜ける具は、鋏の先端部にギザ歯を設けその部分を曲げたものがあった（非特許文献１参照）。又ピンセット状の先端に凹凸の噛合部を設けた先行技術も知られている（特許文献１参照）。
【先行技術文献】
【０００３】
【特許文献】
【特許文献１】  特許公開２００６−２１７８８９号広報
【非特許文献】
【非特許文献１】  （株）サボテン発売の「根こそぎ草抜き」
【発明の概要】
【発明が解決しようとする課題】
【０００４】  従来の具では、硬いものの隙間の奥深くに根を張った草を根こそぎ引き抜くには先端部の長さが不足であり根元まで挿入できず、地表の近くで切断した。又狭い隙間には具の先端が広いため、挿入できず、まして根こそぎ引き抜くのは不可能である。その上、概して握り手部が短かかったり、ピンセットのように指先の力に頼るようなものが多いため、力が入りにくく、握力の弱い高齢者や女性には引き抜くのは無理であり、さらにギザ歯が大きすぎ細かい草は滑りぬける。
本発明は以上の問題点を解決するためになされたものである。
【問題を解決するための手段】
【０００５】  支軸を介して、手前に取っ手、先方に歯体が配置されたハサミ状の草取り具において、支軸に続く短い歯床を経て、すぐ曲げ部に至り、曲げ部の折り曲げ角度は凡そ３０度程であり、取っ手及び歯体の二股を横に平行になるように置いた時に、曲げ部から先の歯体全体が下方（又は上方）に折り曲げてあり、二股の歯体の対向面は全体が平ギザ歯に形成され、歯先端は鋭く尖っており、支軸から手前の取っ手は取っ手把持部を手の平よりも長くしてあり、取っ手の手前端は左右から対向的に折り曲げて、歯先を地面に突き刺す際に押す力を加えやすいように取っ手グリップを設けてある。
以上を特徴とする、隙間の草、根こそぎ引き抜き具である。
【発明の効果】
【０００６】  従来出来なかった硬い所や、狭く奥深い隙間でも、握力の弱い高齢者や女性にも簡単に挿入でき草の根元をしかっり掴み根こそぎ引き抜くことができる。その上、庭、通路は勿論のこと、盆栽等鉢植えの草も根こそぎ引き抜くこともできる。
【図面の簡単な説明】
【０００７】
【図１】本発明の斜視図
【図２】本発明の平面図
【図３】本発明の側面図
【発明を実施するための形態】
【０００８】  以下、本発明の形態を説明する。
支軸（６）を介して、手前に取っ手、先方に歯体（２）が配置されたハサミ状の草取り具において、支軸（６）に続く短い歯床（８）を経て、すぐ曲げ部（４）に至り、曲げ部（４）の折り曲げ角度は凡そ３０度程であり、取っ手及び歯体（２）の二股を横に平行になるように置いた時に、曲げ部（４）から先の歯体（２）全体が下方（又は上方）に折り曲げてあり、二股の歯体（２）の対向面は全体が平ギザ歯（３）に形成され、歯先端（１）は鋭く尖っており、支軸（６）から手前の取っ手は取っ手把持部（５）を手の平の幅よりも長くしてあり、、取っ手の手前端は左右から対向的に折り曲げて歯先を地面に突き刺す際に押す力を加えやすいように取っ手グリップ（７）を設けてある。
本発明は以上のような構造である。
本発明を使用する時は
公道と自宅との境界の境目、コンクリートの割れ目、石垣、石畳、タイル張り等、硬いものの隙間の奥深くに根を張った草を根こそぎ引き抜く場合は、歯先端（１）を少し開き草の両脇にさしこむ、入り難い時は手の平を取っ手グリップ（７）に当て力を入れて押し込み、草の根元を掴み、取っ手把持部（５）を握り引き抜く。又苔のある盆栽等、鉢植えの草を根こそぎ引き抜く時は、歯先端（１）で草を掴み、苔を軽く手で押さえ引き抜くと、苔が剥がれることなく引き抜ける。苔の無い時はそのまま引き抜く。その上庭、通路等に生えた草は歯体（２）をを水平にし草の根元を掴み引き抜く、地面が硬い場合は歯先端（１）で根元深区を掴み引き抜く。
【符号の説明】
【０００９】１  歯先端    ２  歯体    ３  平ギザ歯    ４  曲げ部    ５  取っ手把持部
６  支軸    ７  取っ手グリップ    ８  歯床
【図１】
2013031411.tif 000003
【図２】
2013031411.tif 000004
【図３】
2013031411.tif 000005
(57)【要約】【課題】  鉢受け皿に水を満たす方法では、日数が限られ、夏場は不安であるし、皿まで根が伸びていない植木には適用できない。自動水やり装置は高価であり、近くに水栓や電源が必要であり、タイマー設定を誤ると大事な鉢植えを枯らしてしまう恐れもあり、忘れた頃に使用するのには不安もあった。【解決手段】自然落下させた水を、水位調整槽内に注ぎ、浮きタンクで槽内水位を一定させ、槽内から紐等の給水材を植木鉢に垂らして給水する。【選択図】図１
2013031412.tif 000002
【特許請求の範囲】
【請求項１】
バケツ等に溜めた水源から給水管で水を自然落下させて各鉢土面高さに設置させた水位調整槽の吐水口に供給し、槽内の浮きタンクの浮力で吐水口を開閉して槽内水位を概ね一定に保ち、槽内水面内に毛細管現象で水を吸い上げる紐等の給水材を差し込んで植木鉢へ垂らす構成とした植木鉢給水具。
【発明の詳細な説明】
【技術分野】
【０００１】  本発明は、自然落下させた水を、水位調整槽内に注ぎ、浮きタンクで槽内水位を一定させ、槽内から紐等の給水材を植木鉢へ垂らして給水する給水具である。
【背景技術】
【０００２】  植木鉢は、逐次給水する必要があるが、旅行等で数日間外出する必要のある場合は給水できない。対策としては、鉢受け皿に水を満たすか、自動水やり装置が市販されている。また、紐を使ってペットボトルから継続的に給水する用具も売り出されている。
【発明の概要】
【発明が解決しようとする課題】
【０００３】  鉢受け皿に水を満たす方法では、日数が限られ、夏場は不安であるし、根腐れの恐れもあり、皿まで根が伸びていない植木には適用できない。
自動水やり装置は高価であり、近くに水栓や電源が必要であり、停電や断水になればダメだし、電池式もあるが、電池切れに不安もあり、操作方法を覚える必要もあり、タイマー設定を誤ると大事な鉢植えを枯らしてしまう恐れもあり、忘れた頃に使用するのには不安もあった。また、鉢毎の個別水量調整が難しかった。【０００４】  紐を使って給水する用具は、対象となるペットボトルの水位が給水により低下することにより給水量が減少し、ボトルの容量でしか給水できないし、紐の長さが決まっているので設置位置自由度が低く、鉢の数だけ鉢にくっつけて鉢の上面より底を高くしてボトルを立てなければ成らないので大変だし、風や野鳥等でボトルの転倒の恐れもあり、屋外での使用には不安がある。
【課題を解決するための手段】
【０００５】  バケツ等に溜めた水源６から給水管４で水を自然落下させて各鉢土面高さに設置させた水位調整槽３の吐水口８に供給し、槽内の浮きタンク７の浮力で吐水口を開閉して槽内水位を概ね一定に保ち、槽内水面内に毛細管現象で水を吸い上げる紐等の給水材５を差し込んで植木鉢へ垂らす構成とした。【０００６】  浮きタンク７の吐水口直下部分には、パッキン材９を取り付け、給水により浮き上がった浮きタンクの浮力で吐水口８を制御する。吐水口位置は、浮きタンク上部とする方法と、給水管を浮きタンク内に貫通させて下部とすることができる。図例は上部とした。浮きタンクは傾かないよう、水位調整槽内壁と密着しないように外壁にはガイド１１を設けておくと良い。【０００７】  水位調整槽は、鉢の土面高さで、鉢に近接していればどこへ設置しても良いが、鉢上に設置するのが確実であり、その場合は転倒防止のために下部に差込支柱２を取り付けると良い。上部には通気孔１２を設ける。槽内清掃や浮きタンクの挿入を可能にするため、上下どちらかにネジ込みキャップ１０を設ける。図例は下部とした。【０００８】  水位調整槽の水面内に差し込んで使用する給水材は、季節、植種に応じた給水量の種類を作成すると良く、端を植木鉢に固定する手段にしておけば、風や野鳥の影響が少ない。
【発明の効果】
【０００９】  水栓や電源が不要だから、停電や断水の不安が無く、水源水量さえ確保しておけば、一つの水源で多くの鉢に給水でき、水位調整槽で水位を一定に保っていることと、水位調整槽の高さが決まっていることから、水の落下高さが一定となるので、安定した水量を供給でき、長期間でも安心して旅行できる。給水管で各鉢へ給水するので、給水管を長くすれば、水源から離れた位置でも給水できる。
水位調整槽を設置し、給水管を水槽に連結して通水するだけで簡単、確実、安全に給水でき、構造が簡単であるから安価で供給できる。また、差し込みする給水材の種類を変えれば、鉢毎に給水量を自由に変更できる。【００１０】  水位調整槽内の水位は、浮きタンク面積に比して吐水口径が小さいので、水源の水位変動による影響は微細であり、毛細管現象を使った給水であるので、影響はない。
【図面の簡単な説明】
【００１１】
【図１】  全体図
【図２】  水位調整槽縦断面図
【図３】  水位調整槽横断面図
【発明を実施するための形態】
【００１２】  水槽にバケツ等の汎用容器を使用する場合は、給水管が引き抜けて落下しないよう留め具を用意するか、先端に錘を付けておけば安全だ。また、バケツ一つでは水量不足が心配される場合は、水を詰めた管で複数のバケツを連結させておけば、サイフォン効果で沢山の鉢に対応することもできる。
【００１３】  温暖季で使用日数が長くなる場合は、水源水が腐敗し、給水量が落ちる恐れがあるので、この場合は、水源水に少しずつ塩素を発生させる塩素粒を投入しておくと良い。
【符号の説明】
【００１４】  １  植木鉢
２  差込支柱
３  水位調整槽
４  給水管
５  給水材
６  水源
７  浮きタンク
８  吐水口
９  パッキン材
１０  ネジ込みキャップ
１１  ガイド
１２  通気孔
【図１】
2013031412.tif 000003
【図２】
2013031412.tif 000004
【図３】
2013031412.tif 000005